(57)【要約】      （修正有）【課題】電子化された書籍に関連する情報をユーザへ適切に提供することができる情報処理装置、情報処理方法および情報処理プログラムを提供する。【解決手段】本情報処理装置は、取得部と、生成部とを備える。取得部は、電子書籍を媒体として電子化された書籍に関連する情報であって、電子書籍とは異なる媒体に関する情報を取得する。生成部は、取得部によって取得された電子書籍とは異なる媒体に関する情報へのリンクを生成する。【選択図】図４
2019053622.tif 000002
【特許請求の範囲】
【請求項１】
電子書籍を媒体として電子化された書籍に関連する情報であって、前記電子書籍とは異なる媒体に関する情報を取得する取得部と、
前記取得部によって取得された前記電子書籍とは異なる媒体に関する情報へのリンクを生成する生成部と
を備えることを特徴とする情報処理装置。
【請求項２】
前記生成部によって生成されたリンクの情報を、前記電子化された書籍の情報とともにユーザの端末装置に表示させて提供する提供部
をさらに備えることを特徴とする請求項１に記載の情報処理装置。
【請求項３】
前記取得部は、
前記書籍に関連する映画に関する情報、前記書籍に関連するドラマに関する情報、および、前記書籍に関連する記録媒体に関する情報のうち少なくとも一つを、前記電子書籍とは異なる媒体に関する情報として取得する
ことを特徴とする請求項１または２に記載の情報処理装置。
【請求項４】
前記生成部によって生成されたリンクに対するユーザのアクセス履歴を示すアクセス履歴情報に基づいて、媒体としての前記電子書籍および前記電子書籍とは異なる媒体のうち少なくとも一つの媒体に関する指標を予測する予測部
をさらに備えることを特徴とする請求項１〜３のいずれか一つに記載の情報処理装置。
【請求項５】
前記予測部は、
前記媒体に関する将来の人気を示す情報を前記媒体に関する指標として予測する
ことを特徴とする請求項４に記載の情報処理装置。
【請求項６】
コンピュータが実行する情報処理方法であって、
電子書籍を媒体として電子化された書籍に関連する情報であって、前記電子書籍とは異なる媒体に関する情報を取得する取得工程と、
前記取得工程によって取得された前記電子書籍とは異なる媒体に関する情報へのリンクを生成する生成工程と
を含むことを特徴とする情報処理方法。
【請求項７】
電子書籍を媒体として電子化された書籍に関連する情報であって、前記電子書籍とは異なる媒体に関する情報を取得する取得手順と、
前記取得手順によって取得された前記電子書籍とは異なる媒体に関する情報へのリンクを生成する生成手順と
をコンピュータに実行させることを特徴とする情報処理プログラム。
【発明の詳細な説明】
【技術分野】
【０００１】
本発明は、情報処理装置、情報処理方法および情報処理プログラムに関する。
【背景技術】
【０００２】
従来、電子化された書籍を例えばユーザが利用する携帯端末装置に保存し、かかる携帯端末装置に書籍を表示させて読書を行う、いわゆる電子書籍に関する技術が種々提案されている（例えば、特許文献１参照）。
【先行技術文献】
【特許文献】
【０００３】
【特許文献１】特開２００４−２５２８６９号公報
【発明の概要】
【発明が解決しようとする課題】
【０００４】
しかしながら、従来技術には、書籍に関連する情報をユーザへ適切に提供するという点で改善の余地があった。すなわち、書籍については、例えば映画化されたり、ドラマ化されたりすることがあるが、従来技術にあっては、かかる映画化等の書籍に関連する情報をユーザへ適切に提供することができなかった。
【０００５】
本願は、上記に鑑みてなされたものであって、電子化された書籍に関連する情報をユーザへ適切に提供することができる情報処理装置、情報処理方法および情報処理プログラムを提供することを目的とする。
【課題を解決するための手段】
【０００６】
本願に係る情報処理装置は、取得部と、生成部とを備える。前記取得部は、電子書籍を媒体として電子化された書籍に関連する情報であって、前記電子書籍とは異なる媒体に関する情報を取得する。前記生成部は、前記取得部によって取得された前記電子書籍とは異なる媒体に関する情報へのリンクを生成する。
【発明の効果】
【０００７】
実施形態の一態様によれば、電子化された書籍に関連する情報をユーザへ適切に提供することができる。
【図面の簡単な説明】
【０００８】
【図１】図１は、第１実施形態に係る情報処理の一例を示す説明図である。
【図２】図２は、情報処理システムの構成例を示す図である。
【図３】図３は、ユーザ端末装置の構成例を示す図である。
【図４】図４は、情報処理装置の構成例を示す図である。
【図５】図５は、書籍情報記憶部の一例を示す図である。
【図６】図６は、リンク情報記憶部の一例を示す図である。
【図７】図７は、リンクの情報および書籍の情報が表示された画面例を示す図である。
【図８】図８は、情報処理装置における情報処理の流れを示すフローチャートである。
【図９】図９は、第２実施形態に係る情報処理装置の構成例を示す図である。
【図１０】図１０は、モデル情報記憶部の一例を示す図である。
【図１１】図１１は、アクセス履歴情報記憶部の一例を示す図である。
【図１２】図１２は、第２実施形態に係る情報処理装置における情報処理の流れを示すフローチャートである。
【図１３】図１３は、プログラムを実行するコンピュータのハードウェア構成の一例を示す図である。
【発明を実施するための形態】
【０００９】
以下に、本願に係る情報処理装置、情報処理方法および情報処理プログラムを実施するための形態（以下、「実施形態」と呼ぶ）について図面を参照しつつ詳細に説明する。なお、この実施形態により本願に係る情報処理装置、情報処理方法および情報処理プログラムが限定されるものではない。
【００１０】
（第１実施形態）
〔１．情報処理〕
まず、第１実施形態に係る情報処理の一例について図１を参照して説明する。図１は、第１実施形態に係る情報処理の一例を示す説明図であり、図１に示す例では、情報処理装置７０によって情報処理が実行される。
【００１１】
情報処理装置７０は、電子化された書籍の情報をユーザ端末装置１０へ提供する電子書籍サーバである。情報処理装置７０は、ユーザ端末装置１０および情報配信装置４０とインターネット等のネットワークを介して接続されており、これらの装置との間で各種情報の送受信を行うことができる。各種情報には、例えば書籍の情報要求などを示す信号が含まれており、情報処理装置７０は、各種情報等に基づき、例えば電子書籍を提供する処理などを行う。
【００１２】
なお、上述した情報処理装置７０および情報配信装置４０は、単体の処理装置である必要はなく、クラウドシステム等の複数の処理装置が協調して動作することで実現されてもよい。また、図１では、情報処理装置７０および情報配信装置４０を別々の装置としたが、これは例示であって限定されるものではなく、例えば情報処理装置７０が情報配信装置４０を備えるようにしてもよい。
【００１３】
ところで、電子化された書籍については、例えば映画化されたり、ドラマ化されたりすることがある。言い換えると、電子書籍を媒体としていた書籍について、電子書籍とは異なる媒体で実現されることがある。ここで、「電子書籍とは異なる媒体」は、上記した映画やドラマ（テレビ）に限定されるものではなく、例えば、ＤＶＤ（Digital  Versatile  Disc）やＣＤ（Compact  Disc）などの記録媒体、ラジオ、新聞、雑誌などその他の種類の媒体であってもよい。
【００１４】
本実施形態に係る情報処理装置７０にあっては、電子化された書籍に関連する情報（例えば映画化情報など）をユーザＵへ適切に提供することができるようにした。
【００１５】
具体的に、ここでは書籍が映画化された場合を例にとって説明する。例えば、書籍に関連する映画の製作が決定すると、情報配信装置４０は、かかる映画の出演者、監督、公開予定日など、映画に関する各種の情報を配信することができる。また、情報配信装置４０は、映画に関する各種の情報が記載された映画化サイトを提供することができる。
【００１６】
情報処理装置７０は、まず電子書籍とは異なる媒体である映画に関する情報を取得する（ステップＳ１）。かかる映画に関する情報の取得は、例えば、情報配信装置４０が情報処理装置７０にアクセスすることで行われたり、情報処理装置７０が情報配信装置４０へ映画に関する情報を要求することで行われたりする。なお、図示は省略するが、情報処理装置７０を管理する端末装置が管理者によって操作されて、情報処理装置７０が映画に関する情報を取得してもよい。
【００１７】
次に、情報処理装置７０は、映画に関する情報が取得されると、媒体たる映画に関する情報へのリンクを生成する（ステップＳ２）。例えば、情報処理装置７０は、上記した映画化サイトへのリンクを生成する。
【００１８】
そして、情報処理装置７０は、ユーザＵが利用するユーザ端末装置１０から書籍の情報要求を受け付ける（ステップＳ３）。情報処理装置７０は、書籍の情報要求を受け付けると、生成されたリンクの情報を書籍の情報とともに、ユーザ端末装置１０へ提供する（ステップＳ４）。
【００１９】
これにより、情報処理装置７０は、ユーザ端末装置１０の表示部１２に対し、書籍の情報Ｍ１と、ユーザが書籍を読む際に押下されるボタンＭ２と、リンクの情報であって、当該書籍の映画化情報を示すボタンＭ３とを表示させることができる。なお、図１に示す表示部１２の画面は、例示であって限定されるものではない。
【００２０】
これにより、情報処理装置７０は、映画化情報など書籍に関連する情報をユーザＵに対して提供することができる。そして、ユーザ端末装置１０は、かかるボタンＭ３が押下されると、ボタンＭ３にはられているリンクの情報に基づいて、リンク先の映画サイトにアクセスして情報を取得し、映画に関する各種の情報を表示部１２に表示させることができる。
【００２１】
なお、例えば、情報処理装置７０は、映画に関する情報を取得する前でリンクを生成していない場合に、書籍の情報要求を受け付けると、書籍の情報のみをユーザ端末装置１０へ提供する。すなわち、ユーザ端末装置１０の表示部１２にボタンＭ３は表示されない。
【００２２】
このように、本実施形態に係る情報処理装置７０にあっては、映画に関する情報を取得した場合、映画に関する情報へのリンクを自動的に生成するようにした。これにより、例えば、情報処理装置７０は、ユーザ端末装置１０から書籍の情報要求を受け付けた場合に、書籍に関連する情報（例えば映画化情報など）を適切に提供することが可能となる。
【００２３】
また、情報処理装置７０にあっては、生成されたリンクの情報を書籍の情報とともにユーザ端末装置１０へ提供することで、リンクの情報および書籍の情報の両方をユーザ端末装置１０に対して表示させることが可能となり、よって書籍に関連する情報をより適切に提供することができる。
【００２４】
なお、上記では、情報処理装置７０は、リンクの情報と書籍の情報とをユーザ端末装置１０へ提供するようにしたが、これに限定されるものではない。すなわち、書籍の情報要求が２回目以降であって、書籍の情報がユーザ端末装置１０に対して既に提供されているような場合、情報処理装置７０は、新しく生成されたリンクの情報のみをユーザ端末装置１０へ提供してもよい。
【００２５】
また、上記では、書籍が映画化された場合を例にとって説明したが、これに限られず、例えば書籍がドラマ化された場合にはドラマ化サイトへのリンクが、ＤＶＤ化された場合にはＤＶＤ化サイトへのリンクが生成されて、かかるリンクの情報がユーザ端末装置１０へ提供されることとなる。
【００２６】
〔２．情報処理システム１〕
図２は、情報処理システム１の構成例を示す図である。図２に示すように、第１実施形態に係る情報処理システム１は、ユーザ端末装置１０と、情報配信装置４０と、情報処理装置７０とを備える。
【００２７】
これらの各種装置は、ネットワークＮを介して無線または有線で互いに通信可能に接続される。ネットワークＮは、例えば、ＬＡＮ（Local  Area  Network）や、インターネットなどのＷＡＮ（Wide  Area  Network）である。
【００２８】
ユーザ端末装置１０は、ユーザＵが利用する端末装置である。ユーザ端末装置１０は、例えば、スマートフォンや、タブレット型端末や、ＰＤＡ（Personal  Digital  Assistant）や、デスクトップ型ＰＣ（Personal  Computer）や、ノート型ＰＣ等により実現される。なお、図２において、ユーザ端末装置１０を複数台示したが、これに限られず、１台であってもよい。
【００２９】
〔３．ユーザ端末装置１０〕
図３は、ユーザ端末装置１０の構成例を示す図である。図３に示すように、ユーザ端末装置１０は、通信部１１と、表示部１２と、入力部１３と、制御部２０と、記憶部３０とを有する。
【００３０】
〔３．１．通信部１１〕
通信部１１は、ネットワークＮと有線または無線で接続され、情報配信装置４０や情報処理装置７０等との間で情報の送受信を行うことができる。例えば、通信部１１は、ＮＩＣ（Network  Interface  Card）等によって実現される。
【００３１】
〔３．２．表示部１２〕
表示部１２は、例えば電子書籍などのコンテンツを含む各種の情報等を表示する表示デバイスである。例えば、表示部１２は、ＬＣＤ（Liquid  Crystal  Display）や有機ＥＬディスプレイである。また、表示部１２は、タッチパネル式のディスプレイであってもよい。
【００３２】
〔３．３．入力部１３〕
入力部１３は、ユーザから各種操作を受け付ける入力デバイスである。入力部１３は、例えば、文字や数字などを入力するためのボタン等を有する。また、表示部１２がタッチパネル式のディスプレイである場合、表示部１２の一部が入力部１３として機能する。
【００３３】
〔３．４．記憶部３０〕
記憶部３０は、例えば、ＲＡＭ（Random  Access  Memory）、フラッシュメモリ（Flash  Memory）等の半導体メモリ素子、または、ハードディスク、光ディスク等の記憶装置によって実現される。かかる記憶部３０には、各種プログラムや設定データ、受信した書籍の情報などが記憶される。
【００３４】
〔３．５．制御部２０〕
制御部２０は、コントローラ（controller）であり、例えば、ＣＰＵ（Central  Processing  Unit）、ＲＯＭ（Read  Only  Memory）、ＲＡＭ、入出力ポートなどを有するマイクロコンピュータや各種の回路を含む。また、制御部２０は、例えば、ＡＳＩＣ（Application  Specific  Integrated  Circuit）やＦＰＧＡ（Field  Programmable  Gate  Array）等の集積回路等のハードウェアで構成されてもよい。制御部２０は、送信部２１と、受信部２２と、処理部２３とを備える。
【００３５】
〔３．６．１．送信部２１〕
送信部２１は、例えば、入力部１３を介して受け付けたユーザ操作に従って、情報処理装置７０に対し、電子化された書籍の情報の取得要求を送信する。
【００３６】
また、例えば、送信部２１は、リンクの情報が表示部１２に表示された状態で、リンクの情報を含むボタンＭ３（図１参照）に対するユーザの押下操作を受け付けた場合、リンク先のサイトを提供する情報配信装置４０にアクセスし、書籍に関連する情報（例えば映画化情報）の要求を送信する。
【００３７】
〔３．６．２．受信部２２〕
受信部２２は、例えば、情報処理装置７０から送信される書籍の情報や、情報配信装置４０から配信される書籍に関連する情報など各種の情報を受信する。受信部２２は、受信された各種の情報を記憶部３０に記憶させることができる。
【００３８】
〔３．６．３．処理部２３〕
処理部２３は、表示部１２等を含め、ユーザ端末装置１０全体を制御する。例えば、処理部２３は、受信部２２によって受信された書籍の情報や、書籍に関連する情報を記憶部３０から読み出し、表示部１２へ出力して表示させることができる。なお、ユーザ端末装置１０は、例えば、インストールされた所定のアプリケーション（例えば、電子書籍ビューア）等を用いて、書籍の情報を閲覧可能としてもよい。
【００３９】
〔４．情報配信装置４０〕
図２の説明に戻ると、情報配信装置４０は、電子書籍を媒体としていた書籍について、電子書籍とは異なる媒体で実現された場合に、かかる媒体に関する情報を配信するサーバである。
【００４０】
図２に示すように、情報配信装置４０は、映画情報配信装置４０ａと、ドラマ情報配信装置４０ｂと、ＤＶＤ情報配信装置４０ｃとを含む。なお、情報配信装置４０は、上記した各配信装置４０ａ，４０ｂ，４０ｃに限定されるものではない。すなわち、例えば、書籍がラジオ化される場合、図示しないラジオ情報配信部が情報配信装置４０に含まれてもよい。また、書籍が映画化されるのみで、ドラマ化、ＤＶＤ化されない場合、ドラマ情報配信装置４０ｂおよびＤＶＤ情報配信装置４０ｃは除去される。
【００４１】
映画情報配信装置４０ａは、映画に関する各種の情報（例えば、映画の出演者などの情報）を配信することができる。また、情報配信装置４０は、映画に関する各種の情報が記載された映画化サイトを提供することができる。
【００４２】
ドラマ情報配信装置４０ｂは、書籍のドラマ化が決定した場合に、ドラマの出演者、監督、放送予定日など、ドラマに関する各種の情報を配信することができる。また、ドラマ情報配信装置４０ｂは、ドラマに関する各種の情報が記載されたドラマサイトを提供することができる。
【００４３】
ＤＶＤ情報配信装置４０ｃは、書籍のＤＶＤ化が決定した場合に、ＤＶＤの出演者、監督、発売予定日など、ＤＶＤに関する各種の情報を配信することができる。また、ＤＶＤ情報配信装置４０ｃは、ＤＶＤに関する各種の情報が記載されたＤＶＤサイトを提供することができる。なお、ＤＶＤは、記録媒体の一例である。また、記録媒体としては、ＣＤなどその他の種類の記録媒体を用いてもよい。
【００４４】
〔５．情報処理装置７０〕
図４は、情報処理装置７０の構成例を示す図である。図４に示すように、情報処理装置７０は、通信部７１と、制御部８０と、記憶部９０とを有する。
【００４５】
情報処理装置７０は、上記したように、書籍に関連する情報であって、映画などの媒体に関する情報を取得した場合、媒体に関する情報へのリンクを自動的に生成することができる。以下、情報処理装置７０の構成について具体的に説明する。
【００４６】
〔５．１．通信部７１〕
通信部７１は、ネットワークＮと有線または無線で接続され、ユーザ端末装置１０や情報配信装置４０との間で情報の送受信を行う。例えば、通信部７１は、ＮＩＣ等によって実現される。
【００４７】
〔５．２．記憶部９０〕
記憶部９０は、例えば、ＲＡＭ、フラッシュメモリ等の半導体メモリ素子、または、ハードディスク、光ディスク等の記憶装置によって実現される。本実施形態に係る記憶部９０は、書籍情報記憶部９１と、リンク情報記憶部９２とを備える。
【００４８】
〔５．２．１．書籍情報記憶部９１〕
書籍情報記憶部９１は、電子化された書籍の情報を記憶する。図５は、書籍情報記憶部９１の一例を示す図である。例えば、書籍情報記憶部９１には、「書籍情報ＩＤ」、「タイトル」、「情報内容」といった項目が含まれる。
【００４９】
「書籍情報ＩＤ」は、電子化された書籍を識別するための識別情報を示す。「タイトル」は、書籍のタイトルの情報を示す。「情報内容」は、書籍の内容の情報を示す。
【００５０】
図５に示す例では、書籍情報ＩＤ「Ｓ００１」は、タイトルが「ＡＡＡ」であり、情報内容が「ＸＸＸ」であることを示している。なお、「ＸＸＸ」には、書籍内の文字情報（詳しくは文章の情報）、表紙や挿絵などの画像情報、作者情報、頁数情報など種々の情報が含まれるものとする。
【００５１】
〔５．２．２．リンク情報記憶部９２〕
リンク情報記憶部９２は、上記したリンクの情報を記憶する。図６は、リンク情報記憶部９２の一例を示す図である。例えば、リンク情報記憶部９２には、「リンク情報ＩＤ」、「リンク情報名」、「リンク先サイト」、「表示内容」といった項目が含まれる。
【００５２】
「リンク情報ＩＤ」は、リンクの情報を識別するための識別情報を示す。「リンク情報名」は、リンクの情報に含まれる媒体の名称の情報を示す。「リンク先サイト」は、リンク先のサイトのＵＲＬ（Uniform  Resource  Locator）の情報を示す。「表示内容」は、リンクの情報がユーザ端末装置１０へ提供される際、ユーザ端末装置１０の表示部１２に表示される内容の情報を示す。
【００５３】
図６に示す例では、リンク情報ＩＤ「Ｔ００１」は、リンク情報名が「映画」であり、リンク先サイトは「Ｔ１．ｃｏｍ」であり、表示内容は「映画化決定！！」である。なお、表示内容は、上記したボタンＭ３（図１参照）に表示される。
【００５４】
〔５．３．制御部８０〕
図４の説明に戻ると、制御部８０は、コントローラであり、例えば、ＣＰＵ、ＲＯＭ、ＲＡＭ、入出力ポートなどを有するマイクロコンピュータや各種の回路を含む。かかる制御部８０は、例えば、ＡＳＩＣやＦＰＧＡ等のハードウェアで構成されてもよい。
【００５５】
制御部８０は、取得部８１と、生成部８２と、提供部８３とを備える。
【００５６】
〔５．３．１．取得部８１〕
取得部８１は、電子化された書籍に関連する情報であって、電子書籍とは異なる媒体（例えば映画など）に関する情報を取得する。例えば、取得部８１は、情報配信装置４０から媒体に関する情報を取得する。
【００５７】
詳しくは、取得部８１は、映画（媒体の一例）に関する情報を映画情報配信装置４０ａ（図２参照）から取得することができる。また、取得部８１は、ドラマ（媒体の一例）に関する情報をドラマ情報配信装置４０ｂ（図２参照）から取得することができる。また、取得部８１は、ＤＶＤ（媒体の一例）に関する情報をＤＶＤ情報配信装置４０ｃ（図２参照）から取得することができる。
【００５８】
これにより、取得部８１は、書籍が映画化やドラマ化、ＤＶＤ化された場合であっても、対応する媒体に関する情報を取得することができる。なお、上記では、取得部８１は、映画に関する情報、ドラマに関する情報、および、ＤＶＤに関する情報を、電子書籍とは異なる媒体に関する情報として取得したが、これら３つの情報の全てを取得することを要さず、３つの情報のうち１つまたは２つであってもよい。
【００５９】
そして、取得部８１は、取得した媒体に関する情報を生成部８２へ送信する。
【００６０】
〔５．３．２．生成部８２〕
生成部８２は、取得部８１によって取得された媒体に関する情報へのリンクを生成する。このように、生成部８２は、媒体に関する情報を取得した場合、かかる媒体に関する情報へのリンクを自動的に生成することができる。そして、生成部８２は、生成されたリンクの情報を、リンク情報記憶部９２に記憶させる。
【００６１】
〔５．３．３．提供部８３〕
提供部８３は、生成部８２によって生成されたリンクの情報を、ユーザ端末装置１０に送信し、ユーザ端末装置１０に表示させて提供することができる。また、例えば、提供部８３は、書籍の情報を書籍情報記憶部９１から読み出し、リンクの情報を、読み出した書籍の情報とともにユーザ端末装置１０に表示させて提供してもよい。また、例えば、提供部８３は、ユーザ端末装置１０から書籍の情報の要求があった場合に、リンクの情報および書籍の情報をユーザ端末装置１０に表示させて提供してもよい。
【００６２】
ここで、リンクの情報および書籍の情報が提供されたユーザ端末装置１０の表示部１２の画面例について図７を参照して説明する。図７は、リンクの情報および書籍の情報が表示された画面例を示す図である。
【００６３】
図７に示すように、ユーザ端末装置１０の表示部１２には、書籍の情報Ｍ１と、ユーザが書籍を読む際に押下されるボタンＭ２と、映画化の情報を含むボタンＭ３と、ドラマ情報を含むボタンＭ４と、ＤＶＤ情報を含むボタンＭ５とが表示される。なお、ボタンＭ３〜Ｍ５がユーザによって押下されると、それぞれのリンクの情報に基づいて、対応するリンク先のサイトにアクセスして情報を取得し、取得された各種の情報が表示部１２に表示される。
【００６４】
〔６．情報処理装置７０の処理フロー〕
次に、情報処理装置７０における情報処理の手順について説明する。図８は、情報処理装置７０における情報処理の流れを示すフローチャートである。
【００６５】
図８に示すように、情報処理装置７０の制御部８０は、電子書籍とは異なる媒体に関する情報を取得する（ステップＳ１０）。次いで、制御部８０は、媒体に関する情報へのリンクを生成する（ステップＳ１１）。
【００６６】
続いて、制御部８０は、ユーザ端末装置１０から書籍の情報の要求を受け付けたか否かを判定する（ステップＳ１２）。制御部８０は、書籍の情報の要求を受け付けていないと判定された場合（ステップＳ１２，Ｎｏ）、ステップＳ１２の処理を繰り返す。
【００６７】
一方、制御部８０は、書籍の情報の要求を受け付けたと判定された場合（ステップＳ１２，Ｙｅｓ）、リンクの情報および書籍の情報をユーザ端末装置１０へ提供する（ステップＳ１３）。
【００６８】
なお、上記では、制御部８０は、書籍の情報の要求を受け付けた場合に、リンクの情報をユーザ端末装置１０へ提供するようにしたが、これに限られず、書籍の情報の要求の有無に関わらず、生成した時点でリンクの情報を提供するようにしてもよい。
【００６９】
（第２実施形態）
〔７．第２実施形態に係る情報処理装置７０〕
次に、第２実施形態について説明する。上記したように、例えば書籍が映画化された場合、映画の将来的な興行収入の予測は、映画のマーケティングなど行う上で重要となる。
【００７０】
また、映画化されることで、書籍の販売部数が伸びることも期待されるため、書籍の将来的な販売部数の予測も望まれる。さらに、例えば、ユーザの映画などに対する満足度の程度を示す評価値が予測できれば、上映館数を増減させたりドラマ化を企画したり、今後のマーケティング戦略を立て易くなる。
【００７１】
そこで、第２実施形態にあっては、映画や電子書籍などの媒体における売上数、売上額、ユーザの媒体に対する評価値など、媒体に関する指標を精度よく予測できるようにした。
【００７２】
具体的には、第２実施形態にあっては、生成部８２（図４参照）によって生成されたリンクに対するユーザのアクセス履歴を示すアクセス履歴情報に基づいて、媒体に関する指標を予測する。かかる指標の予測は、指標を算出することで行われる。なお、指標の算出にあっては、例えば、回帰分析によって得られるモデルを用いることができるが、これについては後に説明する。
【００７３】
図９は、第２実施形態に係る情報処理装置７０の構成例を示す図である。なお、以下においては、上記した第１実施形態と共通の構成については、同一の符号を付して説明を省略する。
【００７４】
図９に示すように、第２実施形態に係る情報処理装置７０の制御部８０は、モデル生成部８４と、予測部８５とをさらに備える。また、記憶部９０は、モデル情報記憶部９３と、アクセス履歴情報記憶部９４とをさらに備える。
【００７５】
〔７．１．１．モデル情報記憶部９３〕
モデル情報記憶部９３は、上記した媒体に関する指標を算出するためのモデルの情報を記憶する。図１０は、モデル情報記憶部９３の一例を示す図である。例えば、モデル情報記憶部９３には、「モデルＩＤ」、「モデル情報」といった項目が含まれる。
【００７６】
「モデルＩＤ」は、モデルを識別するための識別情報を示す。「モデル情報」は、媒体に関する指標（以下、単に「指標」と記載する場合がある）の算出に用いられるモデルの情報を示す。図１０に示す例では、モデルＩＤ「Ｍ０１」は、モデル情報が「ＭＭ」であることを示している。かかる「ＭＭ」は、モデルを構成する具体的なモデルデータ（例えば後述するωｎに設定された重み値等）が含まれる。
【００７７】
ここで、指標を算出するためのモデルの一例について説明する。例えば、モデルは、制御部８０のモデル生成部８４（図９参照）によって生成される。
【００７８】
例えば、モデル生成部８４は、所定の正解データを利用した回帰分析によってモデルを生成する。なお、以下では、媒体が映画、指数が売上額（興行収入）である場合を例に挙げて説明する。
【００７９】
モデル生成部８４は、過去に書籍から映画化されたものについて、映画の実際の売上額（実績としての興行収入）を正解データ（目的変数）とし、かかる映画に関する情報へのリンクに対する「アクセス回数」、「アクセス時間」、「アクセス地域」などを要素（説明変数）として回帰分析を行うことができる。なお、「アクセス回数」、「アクセス時間」、「アクセス地域」などの情報は、アクセス履歴情報の一例であるが、これらに限定されるものではない。
【００８０】
具体的には、モデル生成部８４は、例えば下記式（１）のような回帰式を生成する。
【００８１】
Ｙ  ＝  ω１・ｘ１  ＋  ω２・ｘ２  ＋  ω３・ｘ３  ＋  ・・・  ＋  ωｎ・ｘｎ  ・・・  （１）
【００８２】
上記式（１）において、例えば、「Ｙ」には、映画の実際の売上額などの正解データが入力される。また、「ｘ１〜ｘｎ」には、例えば、映画に関する情報へのリンクに対するアクセス回数、アクセス時間、アクセス地域等の各々を所定の基準で数値化した変数（例えば、アクセス回数やアクセス時間、アクセス地域等を、相互に比較できるように数値化した情報）が、それぞれ入力される。なお、式（１）中のｎは任意の数を示す。
【００８３】
上記式（１）を用いて学習を進める（すなわち、充分な数のサンプルを回帰的に計算する）ことで、モデル生成部８４は、各項目に対応する「ωｎ」の値を最適化する。すなわち、モデル生成部８４は、例えば、映画について将来の売上額たる指標を算出するにあたり、例えば「アクセス回数」の高低等の要素が指標に対してどのくらいの影響を与えるか、といった重み値「ωｎ」の値を求める。モデル生成部８４は、求めた重み値を設定してモデルを生成する。
【００８４】
下記式（２）は、媒体（ここでは映画）に関する指標を算出するモデルを示す。下記式（２）では、式（１）を回帰分析することにより求められた具体的な数値が各重み値ωに代入される。
【００８５】
媒体に関する指標  ＝  ω１・ｘ１  ＋  ω２・ｘ２  ＋  ω３・ｘ３  ＋  ・・・  ＋  ωｎ・ｘｎ  ・・・  （２）
【００８６】
媒体たる映画に関する指標は、制御部８０の予測部８５（図９参照）によって算出される。例えば、予測部８５は、生成されたモデルに、予測したい映画に対応するリンクのアクセス履歴情報を「ｘ１」〜「ｘｎ」に入力することで、当該映画に関する指標（ここでは売上額）を算出することができる。なお、算出される指標は、映画の売上額そのものであっても、売上額を示すスコアなどであってもよい。
【００８７】
なお、上記で説明したモデルは一例であり、モデル生成部８４が生成するモデルは上記の例に限られない。すなわち、モデル生成部８４は、アクセス履歴情報などを入力とし、媒体に関する指標を示す値を出力とするモデルであれば、既知の手法を組み合わせることによって、上記例とは異なるモデルを適宜生成してもよい。例えば、上記の例では、回帰分析によってモデルを生成する例を示したが、モデル生成部８４は、他の統計的処理によりモデルを生成してもよい。
【００８８】
なお、上記では、具体的にアクセス回数やアクセス時間などを要素としたが、これらはあくまでも例示であって限定されるものではない。すなわち、上記したアクセス回数やアクセス時間などの情報のうち、任意の情報を要素としてもよく、さらには、その他の種類の情報を要素としてもよい。例えば、モデル生成部８４は、ユーザがリンクに対してアクセスする時間帯などの情報を要素としてもよい。
【００８９】
〔７．１．２．アクセス履歴情報記憶部９４〕
アクセス履歴情報記憶部９４は、上記したアクセス履歴情報を記憶する。図１１は、アクセス履歴情報記憶部９４の一例を示す図である。例えば、アクセス履歴情報記憶部９４には、「アクセス履歴情報ＩＤ」、「リンク情報名」、「アクセス回数」、「アクセス時間」、「アクセス地域」といった項目が含まれる。
【００９０】
「アクセス履歴情報ＩＤ」は、アクセス履歴情報を識別するための識別情報を示す。「リンク情報名」は、リンクの情報に含まれる媒体の名称の情報を示す。「アクセス回数」は、ユーザのリンクに対するアクセス回数の情報を示す。「アクセス時間」は、ユーザがリンク先のサイトにアクセスしている時間の情報を示す。「アクセス地域」は、ユーザ端末装置１０のアクセス元ＩＰ（Internet  Protocol）で特定される地域の情報を示す。
【００９１】
図１１に示す例では、アクセス履歴情報ＩＤ「Ｕ００１」は、リンク情報名が「映画」であり、アクセス回数が「ＤＤ回」、アクセス時間が「ＧＧ分」、アクセス地域が「ＪＪ地域」であることを示している。
【００９２】
〔７．２．１．モデル生成部８４〕
図９の説明に戻ると、モデル生成部８４は、上記したモデルを生成する。例えば、モデル生成部８４は、上記式（１）で示す回帰式を生成し、生成された回帰式を回帰分析することによって、上記式（２）で示す媒体に関する指標を算出するためのモデルを生成する。そして、モデル生成部８４は、生成されたモデルの情報を、モデル情報記憶部９３に記憶させる。
【００９３】
〔７．２．２．予測部８５〕
予測部８５は、アクセス履歴情報に基づいて、媒体に関する指標を予測する。例えば、予測部８５は、例えば、予測部８５は、媒体に関する将来の人気を示す情報を媒体に関する指標として予測する。詳しくは、予測部８５は、アクセス履歴情報をアクセス履歴情報記憶部９４から読み出す。そして、予測部８５は、モデルの情報をモデル情報記憶部９３から読み出し、読み出されたモデル（式（２）参照）の「ｘ１」〜「ｘｎ」に、アクセス回数などのアクセス履歴情報を入力することで、媒体に関する指標を算出することができる。
【００９４】
このように、第２実施形態にあっては、媒体に関する情報へのリンクを生成した後の、リンクに対するアクセス履歴情報を用いることで、媒体に関する指標を精度よく算出することができる。
【００９５】
なお、予測部８５は、上記したリンクの情報が含まれる映画に関する指標の予測に限定されるものではなく、媒体としての電子書籍やドラマ、ＤＶＤに関する指標を予測してもよい。
【００９６】
また、上記では、指標が売上額である場合を例にとって説明したが、これに限定されるものではない。すなわち、例えば、モデル生成部８４は、媒体における売上数や、ユーザの媒体に対する評価値を算出するモデルを生成してもよく、これにより、予測部８５は、売上数や評価値を指数として予測することもできる。
【００９７】
また、媒体に関する指標である、媒体に関する将来の人気を示す情報は、上記した売上数や売上額に限られない。すなわち、指標（将来の人気を示す情報）には、媒体に関連し、将来的にヒットする可能性がある作者やテーマなど、予測可能なものであれば、どのようなものであってもよい。
【００９８】
〔８．第２実施形態に係る情報処理装置７０の処理フロー〕
次に、第２実施形態に係る情報処理装置７０における情報処理の手順について説明する。図１２は、第２実施形態に係る情報処理装置７０における情報処理の流れを示すフローチャートである。なお、図１２に示す情報処理は、生成部８２によってリンクの情報が生成された後に実行されるものとする。また、図１２に示す情報処理は、図８に示す情報処理と並行して実行されても、別々に実行されてもよい。
【００９９】
図１２に示すように、情報処理装置７０の制御部８０は、モデルを生成する（ステップＳ２０）。次いで、制御部８０は、リンクに対するアクセス履歴情報を取得する（ステップＳ２１）。
【０１００】
次いで、制御部８０は、生成されたモデル、アクセス履歴情報に基づいて、媒体に関する指標を予測（算出）する（ステップＳ２２）。そして、制御部８０は、予測された媒体に関する指標の情報を、例えば情報処理装置７０を管理する端末装置（図示せず）へ提供する（ステップＳ２３）。なお、管理する端末装置においては、提供された媒体に関する指標の情報が表示され、映画などの媒体のマーケティング等を行うことが可能となる。
【０１０１】
〔９．効果〕
情報処理装置７０は、取得部８１と、生成部８２とを備える。取得部８１は、電子書籍を媒体として電子化された書籍に関連する情報であって、電子書籍とは異なる媒体に関する情報を取得する。生成部８２は、取得部８１によって取得された電子書籍とは異なる媒体に関する情報へのリンクを生成する。
【０１０２】
これにより、電子化された書籍に関連する情報をユーザへ適切に提供することができる。詳しくは、電子書籍とは異なる媒体に関する情報へのリンクの情報を、電子化された書籍に関連する情報としてユーザへ適切に提供することができる。
【０１０３】
また、情報処理装置７０は、制御部８０によって生成されたリンクの情報を、電子化された書籍の情報とともにユーザ端末装置１０に表示させて提供する提供部８３をさらに備える。これにより、リンクの情報と書籍の情報とをユーザ端末装置１０に表示させることが可能となり、よって書籍に関連する情報をより適切に提供することができる。
【０１０４】
また、取得部８１は、書籍に関連する映画に関する情報、書籍に関連するドラマに関する情報、および、書籍に関連するＤＶＤ（記録媒体の一例）に関する情報のうち少なくとも一つを、電子書籍とは異なる媒体に関する情報として取得する。これにより、媒体が映画、ドラマ、ＤＶＤであっても、媒体に関する情報を取得することができる。
【０１０５】
また、情報処理装置７０は、生成部８２によって生成されたリンクに対するユーザのアクセス履歴を示すアクセス履歴情報に基づいて、媒体としての電子書籍および電子書籍とは異なる媒体のうち少なくとも一つの媒体に関する指標を予測する予測部８５をさらに備える。このように、媒体に関する情報へのリンクを生成した後の、リンクに対するアクセス履歴情報を用いることで、媒体に関する指標を精度よく算出することができる。
【０１０６】
また、予測部８５は、媒体に関する将来の人気を示す情報を媒体に関する指標として予測する。これにより、例えば、電子化された書籍の販売戦略などマーケティングに用いられる、媒体における売上数などの種々の情報を、媒体に関する指標として予測（算出）することが可能となる。
【０１０７】
〔１０．ハードウェア構成〕
上述した実施形態における情報処理装置７０は、例えば図１３に示すような構成のコンピュータ１００がプログラムを実行することによって実現される。
【０１０８】
図１３は、プログラムを実行するコンピュータのハードウェア構成の一例を示す図である。コンピュータ１００は、ＣＰＵ（Central  Processing  Unit）１０１、ＲＡＭ（Random  Access  Memory）１０２、ＲＯＭ（Read  Only  Memory）１０３、ＨＤＤ（Hard  Disk  Drive）１０４、通信インターフェイス（Ｉ／Ｆ）１０５、入出力インターフェイス（Ｉ／Ｆ）１０６、およびメディアインターフェイス（Ｉ／Ｆ）１０７を備える。
【０１０９】
ＣＰＵ１０１は、ＲＯＭ１０３またはＨＤＤ１０４に格納されたプログラムに基づいて動作し、各部の制御を行う。ＲＯＭ１０３は、コンピュータ１００の起動時にＣＰＵ１０１によって実行されるブートプログラムや、コンピュータ１００のハードウェアに依存するプログラム等を格納する。
【０１１０】
ＨＤＤ１０４は、ＣＰＵ１０１によって実行されるプログラムによって使用されるデータ等を格納する。通信インターフェイス１０５は、通信部７１に対応し、ネットワークＮを介して他の機器からデータを受信してＣＰＵ１０１へ送り、ＣＰＵ１０１が生成したデータを、ネットワークＮを介して他の機器へ送信する。
【０１１１】
ＣＰＵ１０１は、入出力インターフェイス１０６を介して、ディスプレイやプリンタ等の出力装置、および、キーボードやマウス等の入力装置を制御する。ＣＰＵ１０１は、入出力インターフェイス１０６を介して、入力装置からデータを取得する。また、ＣＰＵ１０１は、生成したデータを、入出力インターフェイス１０６を介して出力装置へ出力する。
【０１１２】
メディアインターフェイス１０７は、記録媒体１０８に格納されたプログラムまたはデータを読み取り、ＲＡＭ１０２を介してＣＰＵ１０１に提供する。ＣＰＵ１０１は、当該プログラムを、メディアインターフェイス１０７を介して記録媒体１０８からＲＡＭ１０２上にロードし、ロードしたプログラムを実行する。記録媒体１０８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１３】
コンピュータ１００が情報処理装置７０として機能する場合、コンピュータ１００のＣＰＵ１０１は、ＲＡＭ１０２上にロードされたプログラムを実行することにより、図４および図９に示す取得部８１、生成部８２、提供部８３、モデル生成部８４および予測部８５の各機能を実現する。
【０１１４】
コンピュータ１００のＣＰＵ１０１は、これらのプログラムを、記録媒体１０８から読み取って実行するが、他の例として、他の装置から、ネットワークＮを介してこれらのプログラムを取得してもよい。
【０１１５】
以上、本願の第１および第２実施形態のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１１６】
〔１１．その他〕  
また、上記第１および第２実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１７】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１８】
また、上述してきた第１および第２実施形態は、処理内容を矛盾させない範囲で適宜組み合わせることが可能である。
【０１１９】
また、上記してきた「部（section、module、unit）」は、「手段」や「回路」などに読み替えることができる。例えば、取得部８１は、取得手段や取得回路に読み替えることができる。
【符号の説明】
【０１２０】
１  情報処理システム
７０  情報処理装置
８１  取得部
８２  生成部
８３  提供部
８５  予測部
【図１】
2019053622.tif 000003
【図２】
2019053622.tif 000004
【図３】
2019053622.tif 000005
【図４】
2019053622.tif 000006
【図５】
2019053622.tif 000007
【図６】
2019053622.tif 000008
【図７】
2019053622.tif 000009
【図８】
2019053622.tif 000010
【図９】
2019053622.tif 000011
【図１０】
2019053622.tif 000012
【図１１】
2019053622.tif 000013
【図１２】
2019053622.tif 000014
【図１３】
2019053622.tif 000015
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
電子書籍を媒体として電子化された書籍に関連する情報であって、前記電子書籍とは異なる媒体に関する情報を取得する取得部と、
前記取得部によって取得された前記電子書籍とは異なる媒体に関する情報へのリンクを生成する生成部と、
前記生成部によって生成されたリンクに対するユーザのアクセス履歴を示すアクセス履歴情報に基づいて、媒体としての前記電子書籍および前記電子書籍とは異なる媒体のうち少なくとも一つの媒体に関する指標を予測する予測部と
を備え、
前記予測部は、
他の電子書籍に関連する情報であって当該他の電子書籍とは異なる媒体に関する情報へのリンクに対するアクセス履歴情報と、当該アクセス履歴情報が得られたときの実際の指数と、前記生成部によって今回生成されたリンクに対するアクセス履歴情報とに基づいて、今回生成されたリンクに対応する媒体に関する指標を予測すること
を特徴とする情報処理装置。
【請求項２】
前記生成部によって生成されたリンクの情報を、前記電子化された書籍の情報とともにユーザの端末装置に表示させて提供する提供部
をさらに備えることを特徴とする請求項１に記載の情報処理装置。
【請求項３】
前記取得部は、
前記書籍に関連する映画に関する情報、前記書籍に関連するドラマに関する情報、および、前記書籍に関連する記録媒体に関する情報のうち少なくとも一つを、前記電子書籍とは異なる媒体に関する情報として取得する
ことを特徴とする請求項１または２に記載の情報処理装置。
【請求項４】
前記予測部は、
前記媒体に関する将来の人気を示す情報を前記媒体に関する指標として予測する
ことを特徴とする請求項１〜３のいずれか一つに記載の情報処理装置。
【請求項５】
コンピュータが実行する情報処理方法であって、
電子書籍を媒体として電子化された書籍に関連する情報であって、前記電子書籍とは異なる媒体に関する情報を取得する取得工程と、
前記取得工程によって取得された前記電子書籍とは異なる媒体に関する情報へのリンクを生成する生成工程と、
前記生成工程によって生成されたリンクに対するユーザのアクセス履歴を示すアクセス履歴情報に基づいて、媒体としての前記電子書籍および前記電子書籍とは異なる媒体のうち少なくとも一つの媒体に関する指標を予測する予測工程と
を含み、
前記予測工程は、
他の電子書籍に関連する情報であって当該他の電子書籍とは異なる媒体に関する情報へのリンクに対するアクセス履歴情報と、当該アクセス履歴情報が得られたときの実際の指数と、前記生成工程によって今回生成されたリンクに対するアクセス履歴情報とに基づいて、今回生成されたリンクに対応する媒体に関する指標を予測すること
を特徴とする情報処理方法。
【請求項６】
電子書籍を媒体として電子化された書籍に関連する情報であって、前記電子書籍とは異なる媒体に関する情報を取得する取得手順と、
前記取得手順によって取得された前記電子書籍とは異なる媒体に関する情報へのリンクを生成する生成手順と、
前記生成手順によって生成されたリンクに対するユーザのアクセス履歴を示すアクセス履歴情報に基づいて、媒体としての前記電子書籍および前記電子書籍とは異なる媒体のうち少なくとも一つの媒体に関する指標を予測する予測手順と
をコンピュータに実行させ、
前記予測手順は、
他の電子書籍に関連する情報であって当該他の電子書籍とは異なる媒体に関する情報へのリンクに対するアクセス履歴情報と、当該アクセス履歴情報が得られたときの実際の指数と、前記生成手順によって今回生成されたリンクに対するアクセス履歴情報とに基づいて、今回生成されたリンクに対応する媒体に関する指標を予測すること
を特徴とする情報処理プログラム。